(57)【特許請求の範囲】
【請求項１】
前面に開口を有するボディと、ボディの開口を覆うとともに前面にプラグが嵌合される凹所が形成され凹所の底面にプラグの丸ピンが挿通される一対のピン挿入口が形成されたカバーとで埋込型の配線器具用の取付枠に取付可能なケースが構成され、ボディとカバーとはボディの前面とカバーの後面とを当接させた状態でボディの後壁に形成された挿通孔を通してボディの後方からねじを挿入してカバーの後面から後方へ突出した取付部のねじ孔へねじを螺着することにより結合され、ボディには、少なくとも、ピン挿入口に挿通された一対の丸ピンにそれぞれ接続される一対の刃受ばねと、各刃受ばねに電気的に接続されボディの後壁に形成された電線挿入口から挿入される電線がそれぞれ接続される端子片と、各端子片それぞれに電線をばね力によって接続保持する鎖錠ばねと、電線の接続解除操作時に鎖錠ばねを端子片から離す向きに撓ませる解除釦とが納装されて成ることを特徴とするコンセント。
【請求項２】
ボディには、ピン挿入口と刃受ばねとの間の空間に、丸ピンの挿入方向に重ねてスライド自在に設けられる一対の扉部材が収納され、一対の扉部材は、両扉部材によって両刃受ばねの前方を覆うように復帰ばねにより付勢され、丸ピンの挿入時に復帰ばねのばね力に抗して丸ピンの挿入方向と直交する方向にスライド自在に移動し一対の丸ピンと一対の刃受ばねとの接続を可能とすることを特徴とする請求項１記載のコンセント。
【請求項３】
ボディの形状は前面が開口した直方体状であって、前記端子片と前記鎖錠ばねと前記解錠釦とで構成される端子が、ボディの隅に配置されて成ることを特徴とする請求項１記載のコンセント。
【請求項４】
プラグの接地極が接続されるアース端子ブロックを有し、アース端子ブロックは、接地極に接触する接触片を有するアース端子部材と、ボディ内に納装されアース端子部材に電気的に接続されるアース用の端子とで構成され、該アース用の端子は、アース端子部材に電気的に接続されボディに形成された電線挿入口から挿入されるアース電線が接続される端子片と、端子片にアース電線を圧接接続する鎖錠ばねと、端子片とアース電線との接続を外すために鎖錠ばねを圧接解除方向に撓ませる解除釦とで構成されて成ることを特徴とする請求項１記載のコンセント。
【請求項５】
ケースは、埋込型の配線器具用の取付枠に該取付枠の開口窓からケースの前面が露出する形で取り付けることができる寸法に形成され、カバーの両側面には取付枠に形成された保持部に係止される係止爪が突設されて成ることを特徴とする請求項１記載のコンセント。
【請求項６】
端子片と刃受ばねとで構成される一対の刃受ばねブロックはそれぞれ、端子片と刃受ばねが連続一体に形成されて成ることを特徴とする請求項１記載のコンセント。
【請求項７】
アース端子ブロックを構成するアース端子部材と、アース用の端子の端子片とが連続一体に形成されて成ることを特徴とする請求項４記載のコンセント。
【請求項８】
アース端子ブロックを構成するアース端子部材と、アース用の端子の端子片とが別々に形成されて成ることを特徴とする請求項４記載のコンセント。
【発明の詳細な説明】
【０００１】
【発明の属する技術分野】
本発明は、コンセントに関し、特に丸ピンを接触子として備えたプラグを接続する丸ピン用のコンセントに関するものである。
【０００２】
【従来の技術】
この種のコンセントとして、電線を接続するための端子がいわゆる巻締め構造になっているものがある。なお、この種のコンセントに接続されるプラグの接触子は、国や地域などによって使用される種類が規定されている（例えば、インドネシア共和国では、接地極及び一対の丸ピンを備えたプラグ用のコンセントが提供されている）。
【０００３】
【発明が解決しようとする課題】
しかしながら、従来の丸ピン用のコンセントでは、電線を接続するための端子が巻締め構造になっているので、施工に時間がかかるとともに、締め付けトルクにばらつきが生じるという問題があった。
本発明は上記事由に鑑みて為されたものであり、その目的は、施工が容易な丸ピン用のコンセントを提供することにある。
【０００４】
【課題を解決するための手段】
請求項１の発明は、上記目的を達成するために、前面に開口を有するボディと、ボディの開口を覆うとともに前面にプラグが嵌合される凹所が形成され凹所の底面にプラグの丸ピンが挿通される一対のピン挿入口が形成されたカバーとで埋込型の配線器具用の取付枠に取付可能なケースが構成され、ボディとカバーとはボディの前面とカバーの後面とを当接させた状態でボディの後壁に形成された挿通孔を通してボディの後方からねじを挿入してカバーの後面から後方へ突出した取付部のねじ孔へねじを螺着することにより結合され、ボディには、少なくとも、ピン挿入口に挿通された一対の丸ピンにそれぞれ接続される一対の刃受ばねと、各刃受ばねに電気的に接続されボディの後壁に形成された電線挿入口から挿入される電線がそれぞれ接続される端子片と、各端子片それぞれに電線をばね力によって接続保持する鎖錠ばねと、電線の接続解除操作時に鎖錠ばねを端子片から離す向きに撓ませる解除釦とが納装されて成ることを特徴とするものであり、端子片及び鎖錠ばねボディの内部に収納されているから、ねじ式の端子構造に比較して施工上の安全性が確保でき、また、電線をボディの後方から挿入するだけで結線することができるから、電線を容易に且つ確実に接続でき、均一な結線と省施工性が図れる。
【０００５】
請求項２の発明は、請求項１の発明において、ボディには、ピン挿入口と刃受ばねとの間の空間に、丸ピンの挿入方向に重ねてスライド自在に設けられる一対の扉部材が収納され、一対の扉部材は、両扉部材によって両刃受ばねの前方を覆うように復帰ばねにより付勢され、丸ピンの挿入時に復帰ばねのばね力に抗して丸ピンの挿入方向と直交する方向にスライド自在に移動し一対の丸ピンと一対の刃受ばねとの接続を可能とするので、丸ピンが挿入されていない時は刃受ばねの前方が扉部材により覆われ、刃受ばねに外部からの塵や埃などが付着する防止することができる。
【０００６】
請求項３の発明は、請求項１の発明において、ボディの形状は前面が開口した直方体状であって、前記端子片と前記鎖錠ばねと前記解錠釦とで構成される端子が、ボディの隅に配置されているので、端子間の絶縁距離が長くなるから、端子間の絶縁性を高めることができ、信頼性が向上する。
請求項４の発明は、請求項１の発明において、プラグの接地極が接続されるアース端子ブロックを有し、アース端子ブロックは、接地極に接触する接触片を有するアース端子部材と、ボディ内に納装されアース端子部材に電気的に接続されるアース用の端子とで構成され、該アース用の端子は、アース端子部材に電気的に接続されボディに形成された電線挿入口から挿入されるアース電線が接続される端子片と、端子片にアース電線を圧接接続する鎖錠ばねと、端子片とアース電線との接続を外すために鎖錠ばねを圧接解除方向に撓ませる解除釦とで構成されているので、接地極を備えたプラグに対応することができ、しかもアース用の端子も電線を挿入するだけで結線することができるから、電線を容易に且つ確実に接続でき、均一な結線と省施工性が図れる。
【０００８】
請求項５の発明は、請求項１の発明において、ケースは、埋込型の配線器具用の取付枠に該取付枠の開口窓からケースの前面が露出する形で取り付けることができる寸法に形成され、カバーの両側面には取付枠に形成された保持部に係止される係止爪が突設されているので、係止爪を保持部に係止させるだけで取付枠に取り付けることができ、施工時間を短くすることができる。
【０００９】
請求項６の発明は、請求項１の発明において、端子片と刃受ばねとで構成される一対の刃受ばねブロックはそれぞれ、端子片と刃受ばねが連続一体に形成されているので、部品点数を減らすことができ、製造工程の簡略化及び低コスト化が可能となる。
請求項７の発明は、請求項４の発明において、アース端子ブロックを構成するアース端子部材と、アース用の端子の端子片とが連続一体に形成されているので、部品点数を削減することができる。
【００１０】
請求項８の発明は、請求項４の発明において、アース端子ブロックを構成するアース端子部材と、アース用の端子の端子片とを別々に形成されているので、アース端子ブロックをつくる金属板の折曲が容易になる。
【００１１】
【発明の実施の形態】
（実施形態１）
本実施形態のコンセントを図１乃至図２０を参照しながら説明する。
本実施形態のコンセントのケース１は、図１４及び図１５に示す埋込型の配線器具用の取付枠１１０に該取付枠１１０の開口窓１１１からケース１の前面が露出する形で取り付けることができる寸法に形成されている。ケース１は、合成樹脂製であって前面が開放された直方体状に形成されたボディ１０と、合成樹脂製であって前面が開放された直方体状に形成されたカバー２０とを結合して形成される。ここで、ボディ１０とカバー２０とを結合するには、ボディ１０の前面とカバー２０の後面とを当接させた状態で、ボディ１０の後壁に形成された一対の挿通孔１８（図２及び図５参照）を通してボディ１０の後方から一対のタッピンねじ８０を挿入し、カバー２０の後面から後方へ突出した取付部２８（図２及び図５参照）のねじ孔２８ａへタッピンねじ８０を螺着すればよい。
【００１２】
また、カバー２０には、図１９及び図２０に示すプラグ１００の円柱状のプラグ本体１０１が前方から嵌合される凹所２４が形成され、凹所２４の底面には、プラグ本体１０１から導出された一対の丸ピン１０２が差し込まれる一対のピン挿入口２６が形成されている。なお、カバー２０の凹所２４の内側面には、円柱状のプラグ本体１０１の軸方向に平行して形成された一対の突条部１０３をガイドするための一対のガイド溝２９ａが形成されている。すなわち、凹所２４はプラグ本体１０１の形状に合わせて形状が設定されている。
【００１３】
ところで、プラグ１００のプラグ本体１０１には一対の接地極１０４が設けてあり、カバー２０の凹所２４には、プラグ本体１０１の接地極１０４に接触する略逆Ω形のアース端子部材４０の両端部よりなる接触片４２をカバー２０の後面側から凹所２４内に引き込むとともに接触片４２の移動空間を確保するためのスリット２７が形成されている。スリット２７は凹所２４の底面と内側面とにわたってＬ字状に形成されている。ここで、アース端子部材４０の接触片４２は、アース端子部材４０の基端片４１よりも細幅に形成されるとともに基端片４１からの延出方向に沿って凹溝４２ａが形成され可撓性を有するようになっている。また、一対の接触片４２は、先端側が互いに近づく向きに付勢され凹所２４の内側面から内方へ突出しているので、ケース１の前方からプラグ１００のプラグ本体１０１が嵌め込まれた時に、接地極１０４に当接し外方へ撓んだ状態で接地極１０４と確実に接触するようになっている。
【００１４】
ボディ１０は、ボディ１０の両側壁間にわたってアース端子部材収納室１２が形成され、アース端子部材収納室１２の略中央の両側にそれぞれ刃受ばね収納室１５，１５が形成され、各刃受ばね収納室１５それぞれに隣接して端子収納室１４，１４が形成され、アース端子部材収納室１２に連通する端子収納室１３が形成されている。ここに、各端子収納室１３，１４，１４はボディ１０の４隅のうちの３箇所に分かれて形成されている。
【００１５】
ボディ１０の刃受ばね収納室１５，１５には、刃受ばね３２，３２が収納されている。各刃受ばね３２は、向かい合う一対の刃受ばね板３２ａにより形成され、両刃受ばね板３２ａ間は連結片３３により連結されている。また、連結片３３の前縁は他の連結片３４により後述の端子板３５に連結されている。本実施形態では、刃受ばね３２と端子板３５とを連続一体に形成しているので、部品点数の削減と製造工程の簡略化を図ることができる。
【００１６】
各端子収納室１４には、一対の端子片３５ａを有する端子板３５と一対の鎖錠ばね３６と解除釦３７とが収納されている。ここで、端子片３５ａと鎖錠ばね３６と解除釦３７とで速結端子を構成している。鎖錠ばね３６は、端子板３５の端子片３５ａと鎖錠ばね３６との間に電線挿入口１６（図２及び図４参照）に挿入された電線に食い込んで抜け止めをする鎖錠片３６ｂと、電線に弾接する接触片３６ａとを備えている。すなわち、ボディ１０の後壁には鎖錠ばね３６と端子片３５ａとの間に電線を導入することができるように電線挿入口１６が形成されている。したがって、電線挿入口１６を通して鎖錠ばね３６と端子片３５ａとの間に、鎖錠片３６ｂ側から電線を挿入すると、接触片３６ａ及び鎖錠片３６ｂのばね力によって電線が端子片３５ａとの間に挟持され、かつ鎖錠片３６ｂが電線に食い込むことによって電線を引き抜くことができなくなる。このように、電線挿入口１６に電線を挿入するだけで結線することができるから、ねじ付きの端子などを用いる場合に比較して結線作業が容易になる。また、端子（上述の速結端子）がケース１の外に露出しないことにより、施工上の安全性を確保することができる。
【００１７】
また、端子収納室１４，１４には、両鎖錠ばね３６に跨がるように上述の解除釦３７が配設される。解除釦３７は、両鎖錠ばね３６の鎖錠片３６ｂに当接しており、解除釦３７が鎖錠片３６ｂに当接する部位は鎖錠片３６ｂが端子片３５ａとの間に電線を挟持する部位からずれている。また、解除釦３７に対応する部位でボディ１０の後壁には操作孔１７（図２及び図６参照）が形成されており、操作孔１７にマイナスドライバの先端などを挿入して解除釦３７を押すことにより、電線に食い込んでいる鎖錠片３６ｂを電線から離すように撓ませて電線の引き抜きが可能となるようにしてある。
【００１８】
アース端子部材収納室１２には、略逆Ω形に形成されたアース端子部材４０の短冊状の基端片４１側が収納される。アース端子部材４０の基端片４１には、ボディ１０の後壁に形成された一対の挿通孔１８（図２及び図５参照）を通してボディ１０の後方から挿入された一対のタッピンねじ８０が挿通される一対の挿通孔４３が形成されている。アース端子部材収納室１２は、ボディ１０の底面の略中央部からアース端子部材４０の基端片４１の略中央を支持する支持リブ１２ａ（図５参照）が突設されている。また、アース端子部材４０の基端片４１は、図５に示すように、カバー２０の後面から後方へ突出した取付部２８と、ボディ１０の底面から突設された突出部１２ｂとの間に挟持されるようになっている。
【００１９】
端子収納室１３には、上述の端子収納室１４と同様に、一対の端子片４５ａを有する端子板４５と一対の鎖錠ばね３６と解除釦３７とが配設される。ここで、端子片４５ａと鎖錠ばね３６と解除釦３７とで速結端子を構成している。鎖錠ばね３６は、端子片４５ａと鎖錠ばね３６との間に電線挿入口１６（図参照）に挿入された電線に食い込んで抜け止めをする鎖錠片３６ｂと、電線に弾接する接触片３６ａとを備えている。したがって、電線挿入口１６に電線を挿入するだけで結線することができるから、ねじ付きの端子などを用いる場合に比較して結線作業が容易になる。
【００２０】
ところで、本実施形態では、略逆Ω形に形成されたアース端子部材４０と、端子板４５とを連続一体に形成しており、端子片４５ａと鎖錠ばね３６と解除釦３７とで速結端子を構成し、該速結端子とアース端子部材４０とでアース端子ブロックを構成している。なお、図１３に示すように略逆Ω形のアース端子部材４０と端子板４５とを別形成して、端子板４５から一体に延設されたＬ字状の連結片４６の孔４７とアース端子４０の基端片４１に形成された孔４４とにかしめ鋲４９を挿入してかしめ固定するようにしてもよい。
【００２１】
また、一対の刃受ばね３２の上方には、アース端子部材４０の基端片４１と直交し左右方向（図７の左右方向）にスライド自在な一対の矩形板状の扉部材５１，６１が丸ピン１０２の挿入方向で一部が重なるように配設される。ボディ１０の左右両側壁の内側面の前端側の略中央には、コイルスプリングよりなる復帰ばね７０の一端部を受けるばね受け溝１９が形成されており、扉部材５１，６１の基端部５１ａ，６１ａには、復帰ばね７０の他端部を受ける切欠部５２，６２が形成されている。また、ボディ１０には、ばね受け溝１９に連通し復帰ばね７０を支持する支持部７２が形成され、支持部７２の両側には、扉部材５１，６１の移動をガイドするガイド溝７３が形成されている。
【００２２】
扉部材５１，６１は、矩形の長孔５４，６４が形成されており、一方の扉部材５１の先端から段違いに延設された係入片５５が他方の扉部材６１の長孔６４にスライド自在に係合され、扉部材５１の後面と扉部材５２の前面とが摺接するようになっている。ここで、扉部材５１，６１は、扉部材５１の先端の係入片５５の先端部が扉部材６１の長孔６４の周縁に当接するとともに、扉部材６１の先端部が扉部材５１の基端部５１ａの後部に当接するように復帰ばね７０により付勢されている。扉部材５１，６１の基端部５１ａ，６１ａと長孔５４，６４との間の部位には、前方へ突出する略かまぼこ形の突出部５３，６３が形成されており、丸ピン１０２が挿入されていない状態では、突出部５３，６３が各刃受ばね３２の上方に位置するようになっている。すなわち、ボディ１０からカバー２０を取り外してもボディ１０の前方から刃受ばね３２が見えないようになっている（図７及び図８参照）。
【００２３】
また、各突出部５３，６３には、長孔５４，６４に近づくほど突出量が小さくなるように傾斜した誘導面５３ａ，６３ａが形成されているので、ピン挿入口２６に上述のプラグ１００の丸ピン１０２が挿通されると、丸ピン１０２の先端がまず誘導面５３ａ，６３ａに当接し、扉部材５１，６１が復帰ばね７０のばね力に抗して左右方向へ移動し、丸ピン１０２が刃受ばね３２の刃受ばね板３２ａ間に挟持されるのである。したがって、プラグ１００を引き抜いてピン挿入口２６から丸ピン１０２が抜けると、復帰ばね７０のばね力によって扉部材５１，６１がスライドし刃受ばね３２の前方が突出部５３，６３により塞がれることになる。しかして、プラグ１００を引き抜いた状態では、刃受ばね３２の一対の刃受ばね板３２ａ間に塵や埃などの異物が侵入するのを防止することができる。
【００２４】
ところで、カバー２０は４隅に前端部２１を除いて面取り部２０ａを形成してあり、前端部２１の両端面（図３（ａ）の上下面）には、取付枠１１０に結合するための係止爪２５が２個ずつ突設されている。係止爪２５には前方ほど前端部２１の端面からの突出量を小さくするように傾斜した傾斜面２５ａが形成されている。
【００２５】
本実施形態のコンセントを施工するには、図１４及び図１５に示すプレート１００を用いる。プレート１００は、ケース１を保持する取付枠１１０と、取付枠１１０を覆って見栄えを良く施工する化粧プレート１２０とからなる。取付枠１１０は、合成樹脂製であって、絶縁性を有し、一対の枠片１１３ａ，１１３ｂの一端部同士及び他端部同士をそれぞれ横片１１２で連続一体に結合することによって、ケース１の前面を露出させる矩形状の開口窓１１１を中央部に備えた矩形枠状に形成されている。
【００２６】
開口窓１１１の両側縁にはそれぞれ帯板状の固定梁部１１４と可動梁部１１５とが互いに対向する形で設けてある。また、枠片１１３ｂは、２箇所に枠片１１３ｂの長手方向に平行で表裏に貫通するスリット１１８ａ，１１８ｂが形成されている。取付枠１１０を形成する合成樹脂は可撓性を有し、可動梁部１１５が可撓になっている。
【００２７】
一方、固定梁部１１４および可動梁部１１５において開口窓１１１に臨む一面には、ケース１の両端面に各一対ずつ突設された係止爪２５と凹凸係合する保持部として保持溝１１４ａ，１１５ａが各２つずつ設けられている。したがって、ケース１に設けた係止爪２５を各保持溝１１４ａ，１１５ａに凹凸係合させると、ケース１の前面を開口窓１１１から露出させた形で取付枠１１０にケース１を取着することができる。また、ケース１が取付枠１１０から抜け落ちないように、ケース１には、係止爪２５よりも後方に、取付枠１１０の後面側の所定部位に当接する位置決め用突部２３が突設されている。
【００２８】
なお、固定梁部１１４と可動梁部１１５との開口窓１１１に臨む一面における各先端部には、ケース１の係止爪２５を取付枠１１０の後面側から保持溝１１４ａ，１１５ａに導入する際に、各係止爪２５を保持溝１１４ａ，１１５ａに誘導するために、先端側ほど互いの距離を広げるように傾斜した傾斜面となった誘導部１１４ｂ，１１５ｂが設けてある（図１６（ｂ）参照）。取付枠１１０にケース１を取り付けるには、図１６に示すようにケース１に突設した係止爪２５（図１６（ｂ）の上方の係止爪２５）を固定梁部１１４の保持溝１１４ａに係合させておき、ケース１の前端部２１を開口窓１１１にほぼ一致させて前方へ押し込むと、ケース１に突設した係止爪２５（図１６（ｂ）の下方の係止爪２５）が可動梁部１１５を撓ませながら傾斜面２５ａと誘導面１１５ｂとによって保持溝１１５ａに追い込まれ、該係止爪２５を保持溝１１５ａに容易に係合させることができるのである。
【００２９】
ところで、取付枠１１０の各横片１１２の中間部には、取付枠１１０を、図１７（ｂ）に示すような前面が開口した有底の略円筒状の埋込型ボックス１４０（いわゆるＣ型ボックス）にはさみ金具９０を用いて取り付ける際に使用するはさみ金具係止孔１３４および固定用孔１３２とが設けられている。また、取付枠１１０の各枠片１１３ａ，１１３ｂの中間部には、取付枠１１０を壁面等の施工面に直付けするためのねじ９５が挿通されるねじ挿通孔１３３が設けられている。
【００３０】
図１７は、ケース１を取付枠１１０に取り付け、その後、取付枠１１０をはさみ金具９０を用いて埋込型ボックス１４０に取り付け、さらに、取付枠１１０に化粧プレート１２０を取り付けた状態を示している。なお、取付枠１１０を埋込型ボックス１４０に取り付けるには、はさみ金具９０の係止片９３をはさみ金具係止孔１３４に係止して図１８に示すように、取付枠１１０の前方から固定用孔１３２に挿通したねじ９７をはさみ金具９０の固定片９１に形成されたねじ挿通孔９２に挿通し、ねじ９７を締め付けることにより、はさみ金具９０の先端側が矢印Ａの向きに回動しはさみ金具９０の先端側に形成された一対の爪９４が埋込型ボックス１４０の内周面に食い込むようになっている（図１７（ｂ）参照）。
【００３１】
また、取付枠１１０の４隅には、化粧プレート１２０の後面から突設した係止突起１２５を係止する化粧プレート係止孔１３５が設けてあり、化粧プレート係止孔１３５に係止突起１２５を挿入係止することにより、取付枠１１０の前面を覆う形で化粧プレート１２０を着脱自在に取り付けることができるようになっている。化粧プレート１２０は、絶縁性を有する合成樹脂を用いて形成されたものであって、取付枠１１０の前面を覆う矩形状の主部１２１と、主部１２１の周縁から全周に亙って後方に突出する側壁１２２とを連続一体に形成した略箱形に形成される。係止突起１２５は主部１２１の後面側の４隅に突設してある。また、主部１２１の中央部には、取付枠１１０に取り付けたケース１の前面を露出させる開口窓１２１ａが設けてある。
【００３２】
なお、化粧プレート１２０の側壁１２２のうちの各対向面間の距離は、それぞれ取付枠１１０の対応する部位の幅寸法よりも大きくしてある。すなわち、施工面に配設した取付枠１１０の前面側に化粧プレート１１０を取着したとき、取付枠１１０が化粧プレート１２０の内側に収まり、化粧プレート１２０の側壁１２２の先端縁が施工面にほぼ当接する。その結果、取付枠１１０と化粧プレート１２０との突き合わせ面が施工面よりも前方へ出ることがなく、両者の突き合わせの線が側面からほとんど見えなくなり外観が向上する。
【００３３】
なお、化粧プレート１２０の側壁には一対の切欠部１２６（図１５参照）が設けてあり、この切欠部１２６に治具（マイナスドライバの先端部など）を差し込んで化粧プレート１２０を取付枠１１０から離す向きの力を作用させると、化粧プレート１２０の係止突起１２５と取付枠１１０の化粧プレート係止孔１３５との係合状態が解除され、化粧プレート１２０を取付枠１１０から取り外すことができる。また、取付枠１１０の枠片１１３ｂにおいて切欠部１２６に対応する位置には取付枠１１０の傾斜面１１３ｃ（図１６（ｂ）参照）よりも内側へ窪んだ逃がし部１３６（図参照）が設けてあり、切欠部１２６に差し込まれた治具を逃がして奥まで挿入できるようにしてあり、化粧プレート１２０を取り外す際に力を作用させやすくしてある。さらに、逃がし部１３６の後面側端部からは薄肉のリブ１３７が、化粧プレート１２０の切欠部１２６から突出しない程度まで延設してある。すなわち、切欠部１２６に差し込んだ治具に施工面に当接する部分を支点として力を加えることで施工面に傷が付くおそれがあるが、リブ１３７を設けていることで切欠部１２６に差し込んだ治具がリブ１３７に当接し、化粧プレート１２０を取付枠１１０から取り外す際に治具によって施工面に傷がつくのを防ぐことができるのである。
【００３４】
化粧プレート１２０の後面側には、取付枠１１０に取着したときに取付枠１１０に設けた２つのスリット１１８ａ，１１８ｂにそれぞれ嵌入される突条片１２８ａ，１２８ｂ（図１５参照）が列設してある。ここで、各突条片１２８ａ，１２８ｂの寸法は、取付枠１１０の各スリット１１８ａ，１１８ｂの内周面と各突条片１２８ａ，１２８ｂとの間にわずかな隙間しか生じないような寸法に設定してある。すなわち、ケース１を取り付けた取付枠１１０に化粧プレート１２０を取着した状態では、２つの突条片１２８ａ，１２８ｂが取付枠１１０の各スリット１１８ａ，１１８ｂに嵌入され、スリット１１８ａ，１１８ｂの内周面と各突条片１２８ａ，１２８ｂとの間にわずかな隙間しか生じないので、取付枠１１０の可動梁部１１５の動き（撓み）が規制されることになる。
【００３５】
（実施形態２）
図２１に本実施形態のコンセントの分解斜視図を示す。
本実施形態の基本構成は実施形態１と略同じであり、扉部材５１，６１及び復帰ばね７０を備えていない点が実施形態１と相違するだけなので、説明を省略する。なお、実施形態１と同じ構成要素には同一の符号を付してある。
【００３６】
（参考例）
図２２に本参考例のコンセントの分解斜視図を示す。
本参考例の基本構成は実施形態１と略同じなので、同様の構成要素には同一の符号を付して説明を省略し特徴となる点について説明する。
本参考例のコンセントのケース１は、合成樹脂製であって前面が開放された直方体状に形成されたボディ１０と、弾性を有する合成樹脂製であって前面が開放された直方体状に形成されたカバー２０とを結合して形成される。
【００３７】
ボディ１０の両側面には組立爪１１が突設されている。一方、カバー２０は、両側面の後縁からボディ１０に向かってそれぞれ組立片２２が突設されている。各組立片２２にはボディ１０に設けた組立爪１１と凹凸係合する係合孔２２ａが形成されている。組立爪１１の前端部には前方ほどボディ１０からの突出量を小さくするように傾斜した誘導面１１ａが形成されている。したがって、ボディ１０にカバー２０を組み付けるときには、組立片２２が誘導面１１ａに沿って撓み、最終的に組立片２２に設けた係合孔２２ａが組立爪１１に嵌合することによって、ボディ１０とカバー２０とが結合される。このように、組立片２２を撓ませる必要があるから、カバー２０を弾性を有した合成樹脂で形成しているのである。
【００３８】
なお、本参考例におけるアース端子部材４０は基端片４１の略中央に取付孔４８が穿孔されており、取付ねじ８１を取付孔４８に挿入してボディ１０に取り付けるようになっている。
しかして、本参考例では、実施形態１のようにボディ１０に対してカバー２０の位置決めを行った後に２本のタッピンねじ８０（図１参照）を取り付けるというような作業が不要となり、部品点数を削減できるとともに、ボディ１０とカバー２０とを容易に結合することができる。また、ボディ１０の後方からタッピンねじ８０を取り付ける必要がなくなるから、ボディ１０の前方からほとんどの部品を組み付けることができ、組立性が向上する。
【００３９】
【発明の効果】
請求項１の発明は、前面に開口を有するボディと、ボディの開口を覆うとともに前面にプラグが嵌合される凹所が形成され凹所の底面にプラグの丸ピンが挿通される一対のピン挿入口が形成されたカバーとで埋込型の配線器具用の取付枠に取付可能なケースが構成され、ボディとカバーとはボディの前面とカバーの後面とを当接させた状態でボディの後壁に形成された挿通孔を通してボディの後方からねじを挿入してカバーの後面から後方へ突出した取付部のねじ孔へねじを螺着することにより結合され、ボディには、少なくとも、ピン挿入口に挿通された一対の丸ピンにそれぞれ接続される一対の刃受ばねと、各刃受ばねに電気的に接続されボディの後壁に形成された電線挿入口から挿入される電線がそれぞれ接続される端子片と、各端子片それぞれに電線をばね力によって接続保持する鎖錠ばねと、電線の接続解除操作時に鎖錠ばねを端子片から離す向きに撓ませる解除釦とが納装されているから、ねじ式の端子構造に比較して施工上の安全性が確保でき、また、電線をボディの後方から挿入するだけで結線することができるから、電線を容易に且つ確実に接続でき、均一な結線と省施工性が図れるという効果がある。
【００４０】
請求項２の発明は、請求項１の発明において、ボディには、ピン挿入口と刃受ばねとの間の空間に、丸ピンの挿入方向に重ねてスライド自在に設けられる一対の扉部材が収納され、一対の扉部材は、両扉部材によって両刃受ばねの前方を覆うように復帰ばねにより付勢され、丸ピンの挿入時に復帰ばねのばね力に抗して丸ピンの挿入方向と直交する方向にスライド自在に移動し一対の丸ピンと一対の刃受ばねとの接続を可能とするので、丸ピンが挿入されていない時は刃受ばねの前方が扉部材により覆われ、刃受ばねに外部からの塵や埃などが付着する防止することができるという効果がある。
【００４１】
請求項３の発明は、請求項１の発明において、ボディの形状は前面が開口した直方体状であって、前記端子片と前記鎖錠ばねと前記解錠釦とで構成される端子が、ボディの隅に配置されているので、端子間の絶縁距離が長くなるから、端子間の絶縁性を高めることができ、信頼性が向上するという効果がある。
請求項４の発明は、請求項１の発明において、プラグの接地極が接続されるアース端子ブロックを有し、アース端子ブロックは、接地極に接触する接触片を有するアース端子部材と、ボディ内に納装されアース端子部材に電気的に接続されるアース用の端子とで構成され、該アース用の端子は、アース端子部材に電気的に接続されボディに形成された電線挿入口から挿入されるアース電線が接続される端子片と、端子片にアース電線を圧接接続する鎖錠ばねと、端子片とアース電線との接続を外すために鎖錠ばねを圧接解除方向に撓ませる解除釦とで構成されているので、接地極を備えたプラグに対応することができ、しかもアース用の端子も電線を挿入するだけで結線することができるから、電線を容易に且つ確実に接続でき、均一な結線と省施工性が図れるという効果がある。
【００４３】
請求項５の発明は、請求項１の発明において、ケースは、埋込型の配線器具用の取付枠に該取付枠の開口窓からケースの前面が露出する形で取り付けることができる寸法に形成され、カバーの両側面には取付枠に形成された保持部に係止される係止爪が突設されているので、係止爪を保持部に係止させるだけで取付枠に取り付けることができ、施工時間を短くすることができるという効果がある。
【００４４】
請求項６の発明は、請求項１の発明において、端子片と刃受ばねとで構成される一対の刃受ばねブロックはそれぞれ、端子片と刃受ばねが連続一体に形成されているので、部品点数を減らすことができ、製造工程の簡略化及び低コスト化が可能となるという効果がある。
請求項７の発明は、請求項４の発明において、アース端子ブロックを構成するアース端子部材と、アース用の端子の端子片とが連続一体に形成されているので、部品点数を削減することができるという効果がある。
【００４５】
請求項８の発明は、請求項４の発明において、アース端子ブロックを構成するアース端子部材と、アース用の端子の端子片とを別々に形成されているので、アース端子ブロックをつくる金属板の折曲が容易になるという効果がある。
【図面の簡単な説明】
【図１】実施形態１を示し、前面側から見た分解斜視図である。
【図２】同上を示し、後面側から見た分解斜視図である。
【図３】同上を示し、（ａ）は平面図、（ｂ）は正面図、（ｃ）は側面図である。
【図４】同上を示す背面図である。
【図５】同上を示す側断面図である。
【図６】同上を示す側断面図である。
【図７】同上を示し、丸ピンが挿入されていないときの断面図である。
【図８】同上を示し、丸ピンが挿入されていないときの要部平面図である。
【図９】同上を示し、丸ピンが挿入されているときの扉部材の位置を説明する断面図である。
【図１０】同上を示し、丸ピンが挿入されているときの扉部材の位置を説明する要部平面図である。
【図１１】同上の要部説明図である。
【図１２】同上を示し、カバーと扉部材と復帰ばねとを取り外した状態の平面図である。
【図１３】同上の要部の他の構成例の説明図である。
【図１４】コンセントと取付枠と化粧プレートとを前面側から見た斜視図である。
【図１５】取付枠と化粧プレートとを後面側から見た斜視図である。
【図１６】同上のケースの取付枠への取り付け方の説明図であり、（ａ）は平面図、（ｂ）は側断面図である。
【図１７】同上のケースの設置状態の説明図である。
【図１８】同上の要部説明図である。
【図１９】プラグの斜視図である。
【図２０】プラグを示し、（ａ）は正面図、（ｂ）は平面図、（ｃ）は側面図である。
【図２１】実施形態２を示す分解斜視図である。
【図２２】参考例を示す分解斜視図である。
【符号の説明】
１  ケース
１０  ボディ
１４  端子収納室
１５  刃受ばね収納室
２０  カバー
２６  ピン挿入口
３０  端子
３５  端子板
３５ａ  端子片
３６  鎖錠ばね
３６ａ  接触片
３６ｂ  鎖錠片
３７  解除釦
【図１】
0003546677.tif 000002
【図２】
0003546677.tif 000003
【図３】
0003546677.tif 000004
【図４】
0003546677.tif 000005
【図５】
0003546677.tif 000006
【図６】
0003546677.tif 000007
【図７】
0003546677.tif 000008
【図８】
0003546677.tif 000009
【図９】
0003546677.tif 000010
【図１０】
0003546677.tif 000011
【図１１】
0003546677.tif 000012
【図１２】
0003546677.tif 000013
【図１３】
0003546677.tif 000014
【図１４】
0003546677.tif 000015
【図１５】
0003546677.tif 000016
【図１６】
0003546677.tif 000017
【図１７】
0003546677.tif 000018
【図１８】
0003546677.tif 000019
【図１９】
0003546677.tif 000020
【図２０】
0003546677.tif 000021
【図２１】
0003546677.tif 000022
【図２２】
0003546677.tif 000023